(57)【要約】      （修正有）【課題】眼鏡を装着したユーザが容易に装着可能なシールドを提供する。【解決手段】シールド１は、シールド板２と、該シールド板の一縁部２ａにおける中央部分に形成された切欠状の凹部３と、一縁部の両側部分にそれぞれ形成され、眼鏡のつるに係止する係止部としての切り込み５、６とを備える。凹部の中央に、シールド板に平行な方向に突出した突出部４が形成されている。凹部は、突出部の両側にて、突出部の突出方向とは反対方向に窪んだ弧状部分３ａを有する。【選択図】図１
0003230637.tif 000002
【実用新案登録請求の範囲】
【請求項１】
シールド板と、
該シールド板の一縁部における中央部分に形成された切欠状の凹部と、
前記一縁部の両側部分にそれぞれ形成され、眼鏡のつるに係止する係止部と
を備えるシールド。
【請求項２】
前記凹部の中央に、前記シールド板に平行な方向に突出した突出部が形成されている
請求項１に記載のシールド。
【請求項３】
前記凹部は、前記突出部の両側にて、前記突出部の突出方向とは反対方向に窪んだ弧状部分を有する
請求項２に記載のシールド。
【請求項４】
前記係止部は、前記眼鏡のつるが挿入される切り込みを有する
請求項１から３のいずれか一つに記載のシールド。
【請求項５】
前記係止部は、前記一縁部に沿って並んだ複数の前記切り込みを有する
請求項４に記載のシールド。
【請求項６】
前記切り込みは、両端を前記凹部に向けた弧状をなす
請求項４又は５に記載のシールド。
【考案の詳細な説明】
【技術分野】
【０００１】
本発明は、顔の前側に配置されるシールドに関する。
【背景技術】
【０００２】
耳に掛けるフレームと、該フレームに装着されるシールドとを有するフェイスガードがある（例えば、特許文献１参照）。シールドは使い捨てにされ、感染症への感染リスクを低減し、滅菌作業を削減することができる。
【先行技術文献】
【特許文献】
【０００３】
【特許文献１】特開２０１８−４４０１５号公報
【考案の概要】
【考案が解決しようとする課題】
【０００４】
眼鏡を装着したユーザが、前記フェイスガードを装着しようとした場合、フレーム又はシールドがユーザの眼鏡に干渉するので、装着は困難である。
【０００５】
本開示は、斯かる事情に鑑みてなされたものであり、眼鏡を装着したユーザが容易に装着可能なシールドを提供することを目的とする。
【課題を解決するための手段】
【０００６】
本開示の一実施形態に係るシールドは、シールド板と、該シールド板の一縁部における中央部分に形成された切欠状の凹部と、前記一縁部の両側部分にそれぞれ形成され、眼鏡のつるに係止する係止部とを備える。
【考案の効果】
【０００７】
本開示の一実施形態に係るシールドにあっては、切欠状の凹部内に、リム及びレンズなどの眼鏡の前側の構成が配置されるので、眼鏡との干渉を防止することができる。また係止部に眼鏡のつるが係止されるので、ユーザの眼鏡をシールドの支持具として使用して、構成の簡素化を図ることができる。
【図面の簡単な説明】
【０００８】
【図１】シールドの略示正面図である。
【図２】眼鏡に取り付けた状態のシールドの略示斜視図である。
【図３】眼鏡に取り付けた状態のシールドの略示正面図である。
【図４】眼鏡に取り付けた状態のシールドの略示左側面図である。
【考案を実施するための形態】
【０００９】
以下本考案を、実施の形態に係るシールドを示す図面に基づいて説明する。以下の説明では図に示す上下前後左右を使用する。図１は、シールドの略示正面図である。シールド１は、半円形状のシールド板２を備える。シールド板２は、透明且つ柔軟な素材によって構成されており、容易に曲げることができる。シールド板２は、弦に対応する一縁部２ａと、円弧に対応する他縁部２ｂとを有する。
【００１０】
ここで、図１に示すように、一縁部２ａは上側に配置され、他縁部２ｂは下側に配置されているとする。一縁部２ａは左右に延び、その中央部分に切り欠き状の凹部３が形成されている。凹部３の底面中央には、上方向に突出した突出部４が形成されている。突出部４の右側及び左側それぞれにおいて、凹部３は下方向（突出部４の突出方向とは反対方向）に窪んだ弧状部分３ａを有する。
【００１１】
凹部３の左隣に、二つの切り込み６、６が形成されている。二つの切り込み６、６は、左右に、即ち一縁部に沿って並んでいる。切り込み６は、正面視において、両端を右側に向けた、即ち凹部３に向けたＣ形の弧状をなす。各切り込み６の内側に舌片６ａが形成される。凹部３の右隣に、二つの切り込み５、５が形成されている。二つの切り込み５、５は、左右に、即ち一縁部に沿って並んでいる。切り込み５は、正面視において、両端を左側に向けた、即ち凹部３に向けた逆Ｃ形の弧状をなす。各切り込み５の内側に舌片５ａが形成される。
【００１２】
図２は、眼鏡１０に取り付けた状態のシールド１の略示斜視図、図３は、眼鏡１０に取り付けた状態のシールド１の略示正面図、図４は、眼鏡１０に取り付けた状態のシールド１の略示左側面図である。眼鏡１０は、二つのリム１１、１１、該二つのリム１１、１１にそれぞれ取り付けられた二つのレンズ１２、１２、二つのリム１１、１１を接続するブリッジ１３、ブリッジ１３に設けられた二つのパッド１４、１４、二つのリム１１、１１に、それぞれヒンジを介して連結されたつる１５、１５を備える。
【００１３】
使用状態において、シールド板２の左右部分は、後ろ側に曲げられている。図２〜図４に示すように、眼鏡１０は、凹部３の上側に配置され、右側のつる１５は、舌片５ａを押して、右側の二つの切り込み５、５に挿入され、左側のつる１５は、舌片６ａを押して、左側の二つの切り込み６、６に挿入される。切り込み５、６によって、シールドは眼鏡１０のつる１５に係止される。
【００１４】
シールド板２に凹部３が形成されているので、リム１１及びレンズ１２などの眼鏡１０の前側の構成は、凹部３の上側、換言すれば内側に配置され、シールド１に干渉しない。
【００１５】
なお切り込み５、６は係止部の一例に過ぎず、例えば、切り込み５、６を形成せずに、クリップを設け、該クリップがつる１５に係止してもよい。
【００１６】
実施の形態に係るシールド１にあっては、切欠状の凹部３内に、眼鏡１０のリム１１及びレンズ１２などが配置されるので、眼鏡１０との干渉を防止することができる。また切り込み５に眼鏡１０のつる１５が係止されるので、ユーザの眼鏡１０をシールド１の支持具として使用して、構成の簡素化を図ることができる。
【００１７】
また突出部４が、凹部３の左右方向中央に形成されているので、シールド１は、眼鏡１０をかけたユーザの鼻付近を覆うことができる。
【００１８】
また下方向に窪んだ弧状部分３ａが突出部４の左右両側に形成されているので、リム１１及びレンズ１２を弧状部分３ａの内側に収めて、眼鏡１０との干渉を一層防止することができる。
【００１９】
また複数の切り込み５、６が一縁部２ａに沿って並んでいるので、つる１５を複数の切り込み５、６に挿入することによって、シールド１ｋはつる１５から外れにくくなる。
【００２０】
切り込み５、６はＣ形状をなすので、舌片５ａ、６ａは、切り込み５、６が形成されていない部分を支軸として、シールド板２に直角な方向に回転可能である。つる１５の挿入時、舌片５ａ、６ａは押され、つる１５は切り込み５、６に挿入される。このとき、舌片５ａ、６ａには弾性復元力が作用し、舌片５ａ、６ａはつる１５を押す。そのため、シールド１に外力が作用した場合に、つる１５と舌片５ａ、６ａとの間に大きな摩擦力が作用するので、シールド１の移動が抑制され、シールド１は位置ずれしにくい。
【００２１】
今回開示した実施の形態は、全ての点で例示であって、制限的なものではないと考えられるべきである。各実施例にて記載されている技術的特徴は互いに組み合わせることができ、本考案の範囲は、実用新案登録請求の範囲内での全ての変更及び実用新案登録請求の範囲と均等の範囲が含まれることが意図される。
【符号の説明】
【００２２】
１  シールド
２  シールド板
２ａ  一縁部
３  凹部
３ａ  弧状部分
４  突出部
５、６  切り込み
１０  眼鏡
１５  つる
【図１】
0003230637.tif 000003
【図２】
0003230637.tif 000004
【図３】
0003230637.tif 000005
【図４】
0003230637.tif 000006